(57)【要約】      （修正有）【課題】重量物の駆動ユニットをベース下部に配置することにより、作業スペースを確保でき、また重心を下に置くことで、装置の物理的不安定さを極力排除する。また、裁断瞬間スピードをコントロールすることで、シート状の物の種類、素材に起因した裁断能力低下を抑える。【解決手段】駆動力ユニットをメインベースユニット２０下部へ配置することにより作業スペースを確保する。メインベースに表面すべり機構を取り入れることにより、すべりが悪くなり裁断時にシート状の物にズレが生じるのを防ぐ。制御部ユニットにて駆動スピードをコントロールできるようにし、シート状の物の種類による裁断能力の低下を抑える。【選択図】図２
2011218458.tif 000002
【特許請求の範囲】
【請求項１】
メインベース下面に上記駆動ユニットが上記メインベースにぶらさがるように配置され、上記メインベースの間を刃が通り、刃が上下動作して、シート状の物を任意の形に切断する装置
【請求項２】
シート状の物が、スムーズに動くように、上記メインベース上面に波目模様シートを使用していて、表面を波目模様にすることで摩擦抵抗を減らし、すべりを良くすることで、シート状の物の種類を問わず、スムーズに滑らせることができる上記の特徴を持つ請求項１に記載の装置。
【請求項３】
上記装置において、駆動ユニットを制御する制御ユニット（図５）を有し回転速度を任意の速度に可変できる特徴を持つ請求項１又は請求項２記載の装置
【発明の詳細な説明】
【技術分野】
【０００１】
この発明は、作業性、コスト、コンパクトさを考慮した、衣類などを裁縫する前の、シート状の物を任意の形に裁断することを、主な目的とした装置に関するものである。
【背景技術】
【０００２】
現在の生活のなかで、衣類、食事、住居  人間生活に欠かせない３大必需品の中の必要不可欠な要素を含む、衣類に重点をおき、衣類の製作工程においてシート状の物を裁断することに着目して、発明したものである。
【先行技術文献】
【特許文献】
【０００３】
【特許文献１】再表２００５／０２５８１９
【発明の概要】
【０００４】
現在、衣類業界は、人間の着る服はもちろんのこと、ペットなどの多様化が進み、犬など小動物の衣類が増えてきたのが現状である。特にペット業界の躍進が激しく、さまざまなデザイン、生地、種類、形状が市場に出回っている。詳細に分析してみると、多品種、少量化が進み、デザインも数ヶ月周期で変化し、製造工程では、１枚の裁断から数十枚の裁断まで、使い勝手がよく、簡単に段取り替えができ、作業者が誰でも裁断できる装置の発明が急務である。
【発明が解決しようとする課題】
【０００５】
最初に「解決しようとする課題点は、動力駆動部が上部に位置する場合、位置が邪魔になり作業スペースを確保できない点にある。次に、解決しようとする課題点は、シート状の物を、重ねて切ることにより、すべりが悪くなり裁断時に、シート状の物にズレが生じて同サイズのものが出来にくい点である。最後に、解決しようとする課題点は、シート状の物を裁断する時、硬さ、厚み、素材の種類などに起因して裁断能力が低下する点が挙げられる。
【課題を解決するための手段】
【０００６】
装置を、メインフレームユニット、駆動部ユニット、制御部ユニット、メインベースユニット、上部ユニットとして構成し、上記に挙げる課題は、駆動部ユニットをメインベースユニット下部へ配置すれば作業スペースを確保できる。
また、表面すべり機構を取り入れ、摩擦抵抗を減らせば次の解決することが出来る。制御部ユニットにて駆動スピードをコントロールできるようにすれば、最後の課題の裁断能力低下を防ぐことができる。
【発明の効果】
【０００７】
本発明の装置においては、重量物の駆動ユニットをベース下部に配置することにより、作業スペースを確保でき、また重心を下に置くことで、装置の物理的不安定さを極力排除することもできる。ただし、ベース下面は、フレームがありスペース確保に注意して、コンパクトに構成しなければならない。コストと性能も考慮し両立させるのが大きな課題と言える。
また、裁断瞬間スピードをコントロールすることで、シート状の物の種類、素材に起因した裁断能力低下を抑えることができる。
またシート状の物が、スムーズに動くように、上面に波目模様のシートを使用すれば、スムーズに滑らせることができる。表面を波目模様にすることで摩擦抵抗を減らし、すべりを良くするのと同じで、カーリングに使用される氷上の突起にてストーンを滑らせる原理と同じである。この原理を応用して、この装置に反映させることにより、シート状の物のいろいろな種類を問わず、スムーズに滑らせることができる。ただシート形状や材質を実験しながら、コストも考えて対策するのが大きな課題である。
【発明を実施するための形態】
【０００８】
メインフレーム（１）は、角パイプを溶接したこの装置の骨組みとなる。この装置の最下部には、振動を吸収するアジャスター（２）が搭載されている。
駆動原動力モーター（３）は家庭用一般電源から、電力を供給された制御ユニット（４）を介し、回転スピードをコントロールして伝達される。
駆動原動力モーター（３）は動力を伝えるカップリング（５）と連結されており、（６）のクランクシャフトアダプターに回転方向の動きを伝えている。
カップリング（５）は、駆動原動力モーター（３）とクランクシャフトアダプター（６）の軸芯がずれていてもモーターに負荷がかからないように、３分割されており中央が樹脂で構成されている。
クランクシャフト（７）は、２個の玉軸受け（８）がブラケットに装着され、ラジアル方向（垂直方向）に動かないようにはめ込まれていて、その中を通り、クランクシャフトアダプター（６）との締め付けによってスラスト方向（平行方向）に押さえられている。だが、玉軸受けの内輪と外輪の間にある玉の回転により回転駆動を可能としている。
クランクシャフト（７）は、先端部に回転動力を上下動力に変換するコンロッド（９）と連結する自動調芯玉軸受け（１０）を、装着している。
この自動調芯玉軸受け（１０）の利点は、固定しているブラケットが垂直に取り付いていなくとも、内輪と玉が一緒に動き、外輪との垂直ズレの分を吸収する働きがある。
コンロッド（９）の反自動調芯玉軸受け側に配置された玉軸受け（１１）を介し、可動バー（１２）に回転方向の動力が、上下方向の動力に変換され伝達される。
可動バー（１２）は、ベアリングホルダー（１３）に装着された小型玉軸受け（１４）により位置決めされ、ストローク０ｍｍから３０ｍｍ以内にて、同一線上を上下する。
この小型玉軸受け（１４）は、１サイクルの動作にて、玉軸受けの中の玉が１回転以上回り潤滑効果が促される径としている。
可動バー（１２）に刃（１５）が取り付き、この装置の仕事をする部分の最終位置となる。
これは、図２のように、各部品が連結され、メインベースの中央の穴を刃が通り、刃が上下に動く。その上のベース上面にシート状の物を動かしながら裁断するものである。
上部ユニットは、上アーム（１６）と刃（１５）押さえから構成されており、アームは作業スペース確保を考慮して後方から伸びる。刃押さえ部は、刃の上部先端が振れないように、刃の正面より左右方向にて小型玉軸受け（１７）でサポートし、なおかつ背部も小型玉軸受け（１８）でサポートしている。
アームには、生地押さえ（１９）が付いており、シート状の物が刃の上下運動により切れる瞬間のばたつきを押さえる役目を果たしている。
この生地押さえは、０ｍｍから１００ｍｍまで調整できるようになっており、シート状の物の裁断寸法にあわせて任意の場所に位置決めが出来る。
メインベース（２０）は、シート状の物が、スムーズに動くように、上面に波目模様のシート（２１）を使用している点が特徴である。作業面を平面にすると、接地面積が大きく摩擦抵抗が大きくなり、すべりが悪くなる。表面を波目模様にすることで摩擦抵抗を減らし、すべりを良くすることで、シート状の物の種類を問わず、スムーズに滑らせることができる。
制御部は、メイン電源（２２）を有し、スタートスイッチ及び、ストップスイッチを搭載しメイン動力制御にインバーター（２３）を有している。インバーターの機能はいろいろあるが、制御スピードを００．００Hzから６０．００Hzまで可変できることを特徴とする。
【図面の簡単な説明】
【０００９】
【図１】図１は裁断機の実施方法を示した全体図面である。
【図２】図２は裁断機の駆動部の実施方法を示した図面である。
【図３】図３は裁断機の可動バー部の実施方法を示した図面である。
【図４】図４は裁断機の刃押さえ部の実施方法を示した図面である。
【図５】図５は裁断機の制御部の実施方法を示した図面である。
【符号の説明】
【００１０】
１メインフレーム                      ２アジャスター
３モーター                            ４制御ユニット
５カップリング                        ６クランクシャフトアダプター
７クランクシャフト                    ８玉軸受け
９コンロッド                        １０自動調芯玉軸受け
１１玉軸受け                          １２可動バー                          
１３ベアリングホルダー                １４小型玉軸受け                      
１５刃                                １６上アーム                          
１７小型玉軸受け                      １８小型玉軸受け                      
１９生地押さえ                        ２０メインベース                      
２１波目模様シート                    ２２メイン電源                        
２３インバーター
【図１】
2011218458.tif 000003
【図２】
2011218458.tif 000004
【図３】
2011218458.tif 000005
【図４】
2011218458.tif 000006
【図５】
2011218458.tif 000007